(57)【特許請求の範囲】
【請求項１】
製造者側と消費者側とが作業を分担し、消費者が作成した文字または図柄を表面に転写した文字・図柄入り陶磁器製品を製造する方法であって、
製造者側において、底部と、この底部の周縁部から上方に立ち上る側壁部と、底部の下面から内方へ凹むように設けられた底部凹部とを有する製品本体を準備する工程と、
製造者側において、前記底部凹部の外形寸法と略同じ外形寸法を有する文字・図柄記入枠が記された注文シートを準備する工程と、
製造者側から消費者側へ前記注文シートを提供する工程と、
消費者側において、前記文字・図柄記入枠内に消費者の発意に係る文字または図柄を書き込む工程と、
消費者側から製造者側へ前記注文シートを渡す工程と、
製造者側において、文字または図柄が書き込まれた前記文字・図柄記入枠を、転写紙を間に挟んで前記製品本体の底部凹部内に嵌め入れ、文字または図柄の輪郭線をなぞって、文字または図柄の輪郭線に対応するように前記底部凹部の表面に前記転写紙の着色成分を転写する工程と、
製造者側において、前記底部凹部の前記輪郭線に囲まれた領域に、他の領域と区別し得る識別痕を形成する工程と、
文字・図柄が転写された文字・図柄入り製品を焼き上げる工程と、
製造された文字・図柄入り陶磁器製品を包装する工程と、
包装された文字・図柄入り陶磁器製品を、製造者側から消費者側へと渡す工程と、を備える、文字・図柄入り陶磁器製品の製造方法。
【請求項２】
前記識別痕を形成する工程は、
前記製品本体に転写された輪郭線によって囲まれた領域を、着色材料を用いて塗りつぶす工程を有する、請求項１に記載の文字・図柄入り陶磁器製品の製造方法。
【請求項３】
前記文字または図柄を転写する工程は、
前記製品本体に保護シートを貼り付ける工程と、
前記文字・図柄記入枠を、転写紙を間に挟み込みつつ前記保護シート上に設置する工程と、
前記文字または図柄の輪郭線をなぞり、当該文字または図柄の輪郭線に対応するように前記保護シートの表面に前記転写紙の着色成分を転写する工程と、
前記保護シートに転写された輪郭線に沿って保護シートを切断し、当該輪郭線によって囲まれた領域を切り取る工程と、を有し、
前記識別痕を形成する工程は、
前記製品本体における前記保護シートの切り取り領域に相当する領域に対して傷加工を施す工程を有する、請求項１に記載の文字・図柄入り陶磁器製品の製造方法。
【請求項４】
前記傷加工は、サンドブラスト加工である、請求項３に記載の文字・図柄入り陶磁器製品の製造方法。
【請求項５】
前記製品本体の下地に対して下地装飾を施す工程をさらに備え、
前記下地装飾を施す工程において、異なる種類の下地装飾が施された複数種類の製品本体が準備され、
前記注文シートを準備する工程において、複数種類の下地装飾の中から任意に下地装飾を選択するための下地装飾記入欄がさらに記された注文シートが準備され、
前記文字または図柄を書き込む工程において、消費者は、任意に選択した下地装飾を前記下地装飾記入欄にさらに書き込む、請求項１〜４のいずれかに記載の文字・図柄入り陶磁器製品の製造方法。
【請求項６】
前記製品本体の下地に対して釉薬を塗布する工程をさらに備え、
前記注文シートを準備する工程において、複数種類の釉薬の中から任意に釉薬を選択するための釉薬記入欄がさらに記された注文シートが準備され、
前記文字または図柄を書き込む工程において、消費者は、任意に選択した釉薬を前記釉薬記入欄にさらに書き込み、
前記釉薬を塗布する工程において、前記任意に選択された釉薬を前記製品本体に対して塗布する、請求項１〜５のいずれかに記載の文字・図柄入り陶磁器製品の製造方法。
【請求項７】
前記製品本体を準備する工程において、複数種類の型の製品本体が準備され、
前記注文シートを準備する工程において、前記複数種類の型の中から任意の型を選択するための製品型記入欄がさらに記された注文シートが準備され、
前記文字または図柄を書き込む工程において、消費者は、任意に選択した型を前記製品型記入欄にさらに書き込む、請求項１〜６のいずれかに記載の文字・図柄入り陶磁器製品の製造方法。
【請求項８】
前記注文シートを準備する工程において、複数種類の包装の中から任意に包装を選択するための包装記入欄がさらに記された注文シートが準備され、
前記文字または図柄を書き込む工程において、消費者は、任意に選択した包装を前記包装記入欄にさらに書き込み、
前記文字・図柄入り陶磁器製品を包装する工程において、前記任意に選択された包装によって、前記文字・図柄入り陶磁器製品を包装する、請求項１〜７のいずれかに記載の文字・図柄入り陶磁器製品の製造方法。
【請求項９】
前記文字・図柄入り陶磁器製品を包装する工程は、
中抜きの枠部材と、当該枠部材に貼り付けられた可撓性の透明シートと、を有する包装部材を準備する工程と、
二つの前記包装部材によって、前記製造された文字・図柄入り陶磁器製品を両側から挟み込む工程と、
一方の前記包装部材の枠部材と、他方の前記包装部材の枠部材とを互いに連結する工程と、を有する、請求項１〜８のいずれかに記載の文字・図柄入り陶磁器製品の製造方法。
【発明の詳細な説明】
【技術分野】
【０００１】
本発明は、表意文字が描かれた製品の製造方法に関するものである。
【背景技術】
【０００２】
陶磁器等の焼き物やガラス製品の表面に、文字や図柄等の装飾を施すことによって、より付加価値の高い製品を製造する方法が、従来から知られている。このような、製品の製造方法として、例えば、特開２００１−２３３６６３号公報（特許文献１）に記載の陶磁器の製造方法が、開示されている。特許文献１に記載の陶磁器の製造方法においては、焼成された釉薬層に対して、切削によって文字等の装飾を刻み込み、当該切削部分に顔料を埋設することによって、任意の文字等を陶磁器表面に描写する方法が、開示されている。
【先行技術文献】
【特許文献】
【０００３】
【特許文献１】特開２００１−２３３６６３号公報
【発明の概要】
【発明が解決しようとする課題】
【０００４】
近年、焼き物やガラス製品の製作にそれほどの造詣のない人の間においても、本人の筆跡による文字（メッセージ）や、本人が独自に創作した図柄等といった、いわゆる「表意文字」が描き込まれた製品を入手したいという要望が、多くなってきている。本人の筆跡による表意文字が描かれた製品は、世に二つとない個性を備えるものとなるため、本人用としても、プレゼント用としても、非常に付加価値の高いものとなるからである。しかしながら、特許文献１に記載の方法によれば、陶磁器に直接文字や図柄等を書き込む工程を備えている。したがって、このような従来の方法によれば、消費者の創作に係る表意文字が描き込まれた陶磁器を手に入れたい場合、消費者自らが、陶磁器に表意文字を描き込む工程に携わる必要がある。このことは、消費者に時間的な負担を掛けるのみならず、消費者に陶磁器に対する造詣がない場合は、完成品の品質を確保することも困難である。すなわち、従来の方法によれば、上記した要望に充分に応えることができなかった。
【０００５】
そこで、本発明の目的は、上記課題に鑑み、消費者が、自ら創作した表意文字が描き込まれた表意入り文字製品を、簡単に入手することができる、表意入り製品の製造方法を提供することである。
なお、本明細書中において使用する「表意文字」とは、消費者が自ら作成した文字または図柄等を意図するものであり、「表意文字入り製品」とは、消費者が作成した文字または図柄等が入っている陶磁器製品を意図するものである。以下の説明中では、便宜上、「表意文字」という用語および「表意文字入り製品」という用語を使用するが、それらの意味は、それぞれ、「消費者が自ら作成した文字または図柄」および「消費者が作成した文字または図柄入りの陶磁器製品」のことである。
【課題を解決するための手段】
【０００６】
本発明は、製造者側と消費者側とが作業を分担し、表意文字入り製品を製造する方法に関するものである。本発明に係る方法は、製造者側において、製品本体を準備する工程と、製造者側において、所定の外形寸法を有する表意文字記入枠が記された注文シートを準備する工程と、製造者側から消費者側へ注文シートを提供する工程と、消費者側において、表意文字記入枠内に消費者の発意に係る表意文字を書き込む工程と、消費者側から製造者側へ注文シートを渡す工程と、製造者側において、製品本体側に表意文字を転写する工程と、製造者側において、輪郭線に囲まれた領域に、他の領域と区別し得る識別痕を形成する工程と、製造された表意文字入り製品を包装する工程と、包装された表意文字入り製品を、製造者側から消費者側へと渡す工程とを備える。
【０００７】
この構成によれば、製造工程が、消費者側と製造者側とによって分担され、且つ、消費者が担う工程は、注文シートに表意文字を書き込む工程のみとなっている。そして、熟練した製造技術を有する製造者側において、消費者の手によって描かれた表意文字を、製品本体側に転写する工程が行われる構成となっている。すなわち、この構成によれば、消費者は、表意文字を注文シートに記載するという極めて簡単な作業を行うことによって、自らの筆跡による表意文字が忠実に転写された表意文字入り製品を入手することが可能となる。
【０００８】
好ましくは、表意文字を転写する工程は、表意文字記入枠を、転写紙を間に挟み込みつつ製品本体に設置する工程と、表意文字の輪郭線をなぞり、当該表意文字の輪郭線に対応するように製品本体の表面に転写紙の着色成分を転写する工程と、を有し、識別痕を形成する工程は、製品本体に転写された輪郭線によって囲まれた領域を、着色材料を用いて塗りつぶす工程を有する。
【０００９】
この構成によれば、転写紙を用いることによって、表意文字の輪郭線を比較的に容易な作業によって、製品本体の表面に転写することができる。また、このように転写された輪郭線に基づいて、着色材料を用いて表意文字を製品本体に忠実に再現することができる。
【００１０】
好ましくは、製品本体を準備する工程においては、底部と、当該底部の下面から内方へ凹むように設けられ、所定の外形寸法と略同じ外形寸法を有する底部凹部と、を有する製品本体を準備し、表意文字記入枠を製品本体に設置する工程においては、表意文字記入枠は、底部凹部内に嵌め入れられる。
【００１１】
この構成によれば、製品本体に設けられた底部凹部と、注文シートに記された表意文字記入枠とが、ともに略同じ外形寸法を有するように構成されている。したがって、消費者により表意文字が書き込まれた表意文字記入枠を、製品本体の底部凹部に嵌め入れた場合、表意文字記入枠が、底部凹部内に隙間なく適宜に嵌合することとなる。これにより、製造者側において、表意文字記入枠に記された表意文字を、転写紙を介して底部凹部の表面に、より効果的に転写することができる。
【００１２】
好ましくは、表意文字を転写する工程は、製品本体に保護シートを貼り付ける工程と、表意文字記入枠を、転写紙を間に挟み込みつつ保護シート上に設置する工程と、表意文字の輪郭線をなぞり、当該表意文字の輪郭線に対応するように保護シートの表面に転写紙の着色成分を転写する工程と、保護シートに転写された輪郭線に沿って保護シートを切断し、当該輪郭線によって囲まれた領域を切り取る工程とを有し、識別痕を形成する工程は、製品本体における保護シートの切り取り領域に相当する領域に対して傷加工を施す工程を有する。
【００１３】
この構成によれば、消費者によって描かれた表意文字が、転写紙を介して保護シートの表面に転写され、保護シートから切り取られた領域として忠実に再現されることとなる。そして、製品本体において、保護シートから切り取られた領域に相当する領域に対して傷加工が施されるとともに、保護シートが切り取られていない領域に関しては、当該保護シートによって傷加工から保護されることとなる。これにより、識別可能な表意文字を、傷加工の形態として製品本体側に忠実に再現することができる。
【００１４】
好ましくは、傷加工は、サンドブラスト加工である。この構成によれば、傷加工をより容易に行うことができる。
【００１５】
好ましくは、製品本体の下地に対して下地装飾を施す工程をさらに備え、下地装飾を施す工程において、異なる種類の下地装飾が施された複数種類の製品本体が準備され、注文シートを準備する工程において、複数種類の下地装飾の中から任意に下地装飾を選択するための下地装飾記入欄がさらに記された注文シートが準備され、表意文字を書き込む工程において、消費者は、任意に選択した下地装飾を下地装飾記入欄にさらに書き込む。
【００１６】
この構成によれば、消費者は、複数種類の下地装飾の中から、好みの下地装飾を任意に選択することができる。すなわち、消費者は、表意文字と好みの下地装飾とを注文シートに記載する簡単な作業を行うことによって、自らの筆跡による表意文字が忠実に転写された、好みの装飾の製品を入手することが可能となる。
【００１７】
好ましくは、製品本体の下地に対して釉薬を塗布する工程をさらに備え、注文シートを準備する工程において、複数種類の釉薬の中から任意に釉薬を選択するための釉薬記入欄がさらに記された注文シートが準備され、表意文字を書き込む工程において、消費者は、任意に選択した釉薬を釉薬記入欄にさらに書き込み、釉薬を塗布する工程において、任意に選択された釉薬を製品本体に対して塗布する。
【００１８】
好ましくは、製品本体の下地に対して釉薬を塗布する工程をさらに備え、注文シートを準備する工程において、複数種類の釉薬の中から任意に釉薬を選択するための釉薬記入欄がさらに記された注文シートが準備され、表意文字を書き込む工程において、消費者は、任意に選択した釉薬を釉薬記入欄にさらに書き込み、釉薬を塗布する工程において、任意に選択された釉薬を製品本体に対して塗布する。
【００１９】
この構成によれば、消費者は、複数種類の釉薬の中から、好みの釉薬を任意に選択することができる。すなわち、消費者は、表意文字と好みの釉薬とを注文シートに記載する簡単な作業を行うことによって、自らの筆跡による表意文字が忠実に転写された、好みの色彩の製品を入手することが可能となる。
【００２０】
好ましくは、製品本体を準備する工程において、複数種類の型の製品本体が準備され、注文シートを準備する工程において、複数種類の型の中から任意の型を選択するための製品型記入欄がさらに記された注文シートが準備され、表意文字を書き込む工程において、消費者は、任意に選択した型を製品型記入欄にさらに書き込む。
【００２１】
この構成によれば、製品本体を準備する工程において、複数種類の型の製品本体が準備されることとなる。これにより、消費者は、複数種類の型の製品本体の中から、好みの型を任意に選択することが可能となる。すなわち、消費者は、表意文字と好みの製品本体の型とを注文シートに記載する簡単な作業を行うことによって、自らの筆跡による表意文字が忠実に転写された、好みの型の製品を入手することが可能となる。
【００２２】
好ましくは、注文シートを準備する工程において、複数種類の包装の中から任意に包装を選択するための包装記入欄がさらに記された注文シートが準備され、表意文字を書き込む工程において、消費者は、任意に選択した包装を包装記入欄にさらに書き込み、表意文字入り製品を包装する工程において、任意に選択された包装によって、表意文字入り製品を包装する。
【００２３】
この構成によれば、消費者は、表意文字と好みの包装とを注文シートに記載する簡単な作業を行うことによって、自らの筆跡による表意文字が忠実に転写された製品を、好みの包装に包むことができる。これにより、製品としての付加価値をさらに高めることができる。
【００２４】
好ましくは、表意文字入り製品を包装する工程は、中抜きの枠部材と、当該枠部材に貼り付けられた可撓性の透明シートと、を有する包装部材を準備する工程と、二つの包装部材によって、製造された表意文字入り製品を両側から挟み込む工程と、一方の包装部材の枠部材と、他方の包装部材の枠部材とを互いに連結する工程と、を有する。
【００２５】
この構成によれば、包装された表意文字入り製品が、上記透明シートによって挟み込まれて支持されることとなるため、表意文字入り製品を、消費者から見て可視状に包装することができる。これにより、プレゼントとしての付加価値をさらに高めることができる。
【発明の効果】
【００２６】
本発明によれば、製造工程が、消費者側と製造者側とによって分担され、且つ、消費者が担う工程は、注文シートに表意文字を書き込む工程のみである。そして、熟練した製造技術を有する製造者側において、消費者の手によって描かれた表意文字を、製品本体側に転写する工程が行われる構成となっている。すなわち、この構成によれば、消費者は、表意文字を注文シートに記載するという極めて簡単な作業を行うことによって、自らの筆跡による表意文字が忠実に転写された表意文字入り製品を入手することが可能となる。
【図面の簡単な説明】
【００２７】
【図１】本発明の一実施形態に係る焼き物製品の製造方法のフローチャートを示す。
【図２】図１の工程１０１において準備されるビアカップ型の焼き物本体を示す外観図であって、（ａ）は側面図を示し、（ｂ）は底面図を示す。
【図３】図１の工程１０１において準備される湯呑み型の焼き物本体を示す外観図であって、（ａ）は側面図を示し、（ｂ）は底面図を示す。
【図４】図１の工程１０１において準備される茶碗型の焼き物本体を示す外観図であって、（ａ）は側面図を示し、（ｂ）は底面図を示す。
【図５】焼き物本体に施される下地装飾を示す外観図であって、（ａ）は「白化粧ドボ掛け」の下地装飾の例を示し、（ｂ）は「白化粧刷毛目」の下地装飾の例を示し、（ｃ）は「白化粧印花紋」の下地装飾の例を示す。
【図６】本発明の一実施形態に係る注文シート２１を示す図である。
【図７】図６に示す注文シート２１に、消費者によって必要事項が記載された状態を示す図である。
【図８】図１に示す工程１０６および工程１０７の詳細なフローチャートを示す。
【図９】図７に示す表意文字の一部を拡大して示す図である。
【図１０】図７に示す注文シートに基づいて製造された表意文字入り焼き物を示す外観図であって、図２に対応する図である。
【図１１】図１に示す工程１０９の詳細なフローチャートを示す。
【図１２】本発明の一実施形態に係る包装部材の外観図を示す。
【図１３】図１１に示す工程１０９Ｂの作業を概略的に示す外観図である。
【図１４】図１に示す工程１０９によって、表意文字入り焼き物が包装された状態を示す外観図である。
【図１５】本発明の他の実施形態に係るガラス製品の製造方法のフローチャートを示す。
【図１６】図１５に示す工程２０６および工程２０７の詳細なフローチャートを示す。
【図１７】図１５の工程１０１において準備されるロックグラスタイプのガラス製品本体を示す外観図であって、（ａ）は側面図を示し、（ｂ）は底面図を示す。
【図１８】図１６に示す工程２０６Ａ，２０６Ｂの作業を概略的に示す外観図である。
【図１９】製造された表意文字入りガラス製品を示す外観図である。
【発明を実施するための形態】
【００２８】
以下、本発明の実施の形態を図面に基づき詳細に説明する。まず、本発明の一実施形態に係る表意文字入り焼き物製品の製造方法の工程フローについて、図１〜図１４を参照して説明する。
【００２９】
本発明の一実施形態に係る表意文字入り焼き物製品の製造方法は、製造者側と消費者側とが適宜作業を分担することによって、消費者による作業を最小限に抑えるとともに、消費者によって描かれた表意文字を焼き物に忠実に転写することを可能とするものである。
【００３０】
本実施形態に係る焼き物の製造方法においては、まず、製造者側において、底部１２と、当該底部１２の周縁部から上方に立ち上がる側壁部１３と、底部１２の下面から内方へ凹むように設けられた底部凹部１４とを有する焼き物本体１１を、準備する（図１の工程１０１）。本実施形態においては、工程１０１において、図２に示すビアカップと、図３に示す湯呑みと、図４に示す茶碗の計３種類の型の焼き物本体１１を準備する。なお、この焼き物本体１１は、製造者側にて実際に制作してもよいし、他の焼き物製造業者から納入したものでもよい。
【００３１】
ここで、底部凹部１４は、全て共通の所定の外形寸法を有するように形成される。本実施形態においては、図２〜図３に示すように、底部凹部１４は、全て略同じ円形状に形成されている。すなわち、ビアカップ、湯呑み、および茶碗のそれぞれに設けられた底部凹部１４は、いずれも共通の直径ｄを有するように形成されている。
【００３２】
また、本実施形態においては、この工程１０１において、各型の焼き物本体１１に対して、３種類の下地装飾がそれぞれ施され、各型につき３種類の異なる焼き物本体１１が準備される。この３種類の下地装飾としては、例えば、図５（ａ）に示す「白化粧ドボ掛け」と、図５（ｂ）に示す「白化粧刷毛目」と、図５（ｃ）に示す「白化粧印花紋」を、採用可能である。より具体的に言えば、この工程１０１において、白化粧ドボ掛けの装飾が施されたビアカップと、白化粧刷毛目の装飾が施されたビアカップと、白化粧印花紋の装飾が施されたビアカップの、３種類のビアカップがそれぞれ準備される。同様に、白化粧ドボ掛けの装飾が施された湯呑みおよび茶碗と、白化粧刷毛目の装飾が施された湯呑みおよび茶碗と、白化粧印花紋の装飾が施された湯呑みおよび茶碗が、それぞれ３種類ずつ準備される。
【００３３】
次いで、製造者側において、所定の項目が記された注文シート２１を準備する（工程１０２）。図６に、本実施形態に係る注文シート２１を例示する。この注文シート２１には、項目１として、消費者の氏名や住所といった消費者の個人情報を記入するための消費者情報記入欄２２と、項目２として、３種類の焼き物型の中から消費者が好みの型を選択するための焼き物型記入欄２３と、項目３として、３種類の下地装飾の中から消費者が好みの下地装飾を選択するための下地装飾記入欄２４と、項目４として、３種類の釉薬の中から消費者が好みの釉薬を選択するための釉薬記入欄２５と、項目５として、焼き物に転写される表意文字を書き込むための表意文字記入枠２６と、項目６として、製造された表意文字入り焼き物を包装する包装形態を選択するための包装記入欄２７とが、それぞれ記されている。なお、これら項目１〜６の記入例については、後述する。
【００３４】
このように、本実施形態に係る工程１０２においては、製造者によって、上記項目１〜６が記載された注文シート２１が、準備される。
【００３５】
次いで、上記した注文シート２１が、製造者側から消費者側へ提供される（工程１０３）。注文シート２１を消費者側に提供する方法としては、注文シート２１を消費者側へ直接郵送してもよいし、ＦＡＸやＥメール等のように、電気通信回線を介して注文シート２１の情報を送信してもよい。また、製造者のホームページに注文シート２１のフォーマットを掲載し、消費者が製造者のホームページからダウンロードする、または、消費者が製造者のホームページにおいて注文シート２１にデータを書き込む構成であってもよい。
【００３６】
次いで、消費者側において、上記注文シート２１の項目１〜６に、必要事項が書き込まれる（工程１０４）。以下に、各項目の記入例について説明する。
【００３７】
項目１：消費者情報記入欄２２には、焼き物の注文をする消費者の個人情報が、記載される。この個人情報としては、例えば、氏名、住所、電話番号、Ｅメールアドレス等が、挙げられる。これにより、製造者側と消費者側との間において、必要な情報や、焼き物等のやり取りを行うことが可能となる。
【００３８】
項目２：焼き物型記入欄２３には、ビアカップ、湯呑み、および茶碗のチェック欄が、それぞれ記載されている。消費者は、これら３種類の型の中から好みの型を選択し、チェック欄にチェックを記入する。これにより、消費者が望む完成品としての焼き物の型を、任意に選択することができる。
【００３９】
項目３：下地装飾記入欄２４には、白化粧ドボ掛け、白化粧刷毛目、および白化粧印花紋のチェック欄が、それぞれ記載されている。消費者は、これら３種類の下地装飾の中から好みの下地装飾を選択し、チェック欄にチェックを記入する。これにより、消費者が望む完成品としての焼き物の下地装飾を、任意に選択することができる。
【００４０】
項目４：釉薬記入欄２５には、キセト、青磁、および土灰のチェック欄が、それぞれ記載されている。消費者は、これら３種類の釉薬の中から好みの下地装飾を任意に選択し、チェック欄にチェックを記入する。これにより、消費者が望む完成品としての焼き物の釉薬、すなわち焼き物の色合いを、任意に選択することができる。なお、釉薬を塗布する工程については、後述する。
【００４１】
項目５：表意文字記入枠２６には、消費者によって、自己の発意に係る表意文字が、書き込まれる。ここで、表意文字記入枠２６は、上記した底部凹部１４と略同じ外形寸法を有するように設けられる。これにより、後述する表意文字の転写工程において、より効果的に焼き物本体１１に表意文字を転写することを可能とする。表意文字記入枠２６内に書き込まれる表意文字としては、例えば、自己の筆跡による手書きのメッセージや、自己の創作による図柄、印、またはこれらの組み合わせ等のように、消費者の発意に応じて自由に書き込まれる。
【００４２】
項目６：包装記入欄２７には、計５種類の包装形態のチェック欄が、それぞれ記載されている。消費者は、これら５種類の包装形態の中から好みの包装形態を任意に選択し、チェック欄にチェックを記入する。なお、包装に関しては、後述する。
【００４３】
図７に、消費者によって必要事項が記載された注文シート２１の記入例を示す。このように、工程１０３において、消費者側にて注文シート２１の項目１〜６に、焼き物の製造に係る必要事項が、記載される。これにより、消費者が求める焼き物製品の完成品としての概略構成を、製造者側へ伝達することができる。
【００４４】
次いで、消費者によって必要事項が記入された注文シート２１が、消費者側から製造者側へと渡される（工程１０５）。注文シート２１を製造者側へ渡す方法としては、上記工程１０３と同様に、郵送や、ＦＡＸ、Ｅメール、またはインターネットホームページ等、如何なる方法を適用してもよい。
【００４５】
次いで、製造者側において、焼き物本体１１に表意文字の輪郭線を転写する（工程１０６）。ここで、本実施形態に係る工程１０６は、図８に示すように、表意文字記入枠を、転写紙を間に挟み込みつつ焼き物本体に設置する工程（図８の工程１０６Ａ）と、表意文字の輪郭線をなぞり、当該表意文字の輪郭線に対応するように焼き物本体の表面に転写紙の着色成分を転写する工程（図８の工程１０６Ｂ）とを有する。
【００４６】
より具体的には、工程１０６Ａにおいて、注文シート２１の表意文字記入枠２６部分を、転写紙を間に挟んで、上記底部凹部１４内に嵌め入れる。表意文字記入枠２６部分を嵌め入れる手法としては、最も単純には、製造者側にて表意文字記入枠２６を注文シート２１から切り取り、底部凹部１４内に嵌め入れることが考えられる。しかしながら、これに限らず、表意文字記入枠２６部分を底部凹部１４内に嵌め入れ可能であれば、如何なる手法を適用してもよい。この工程１０６においては、転写紙を、底部凹部１４の表面と当接するようにして挟み込む。この転写紙としては、例えば転写用カーボンシートが挙げられる。しかしながら、これに限らず、焼き物の表面に着色成分を付着させることが可能であるものであれば、如何なる材料を適用してもよい。
【００４７】
次いで、工程１０６Ｂにおいて、表意文字記入枠２６に記された表意文字の輪郭線をなぞり、表意文字の輪郭線に対応するように、底部凹部１４の表面に転写紙の着色成分を転写する。図９に、図７に示した表意文字記入枠２６内に書き込まれた表意文字の一部の拡大図を示す。工程１０６Ｂにおいては、書き込まれた表意文字の輪郭線３１を、先の尖った鉄筆等の用具によって押し当てるようにしてなぞり、輪郭線３１に対応するように、転写紙の着色成分を底部凹部１４の表面に付着させる。この作業によって、消費者の筆跡による表意文字の輪郭線３１が、焼き物本体１１に忠実に転写されることとなる。なお、表意文字の輪郭線３１をなぞる際に用いる用具としては、上記した先尖状の鉄筆に限らず、焼き物本体１１に輪郭線３１を転写可能であれば、如何なる用具を用いてもよいし、用具を用いることなく、製造者の手でなぞる構成であってもよい。
【００４８】
次いで、製造者側において、輪郭線３１に囲まれた領域に、他の領域と区別し得る識別痕を形成する（工程１０７）。より具体的には、底部凹部１４の表面に転写された輪郭線３１によって囲まれた輪郭線領域３２を、焼き物への着色に適した着色材料を用いて塗りつぶすことによって、表意文字を識別可能とする識別痕を形成する（図８の工程１０７Ａ）。なお、着色材料の色としては、如何なる色をも適用可能である。また、着色材料の色に関して、注文シート２１を介して、予め消費者によって任意に選択される構成であってもよい。さらに、輪郭線領域３２を塗りつぶす手法としては、先細の筆等の用具を用いて塗りつぶす手法や、小孔が設けられた容器に着色材料を入れ、着色材料を小孔から絞り出しつつ塗りつぶし作業を行う、いわゆる「筒描き（絞り描き）」の手法を適用することが考えられる。しかしながら、これに限らず、輪郭線領域３２を塗りつぶし可能であれば、如何なる手法を適用してもよい。この工程１０７Ａの結果、消費者の筆跡による表意文字が、任意の色彩によって、焼き物本体１１に忠実に再現されることとなる。
【００４９】
次いで、製造者側において、表意文字が転写された焼き物本体１１を焼き上げる（工程１０８）。この工程１０８においては、まず、焼き物本体１１の表面に対して、上記注文シート２１の釉薬記入欄２５において選択された種類の釉薬を塗布する工程を行う。ここで塗布される釉薬は、焼き物の色合いや風合いを決定する材料であるとともに、完成後の焼き物の防水性を高めるための材料である。例えば図７に示す注文シート２１によれば、土灰の釉薬が、この工程で塗布されることとなる。釉薬が塗布された後、１２００°以上の温度で焼き物本体１１を焼き上げ、製品としての表意文字入り焼き物を完成させる。図１０に、完成した表意文字入り焼き物４１を示す。なお、図１０は、一例として、図７に示す注文シート２１に基づいて製造された表意文字入り焼き物４１の外観図を示しており、図２に対応する図である。このように、本実施形態によれば、消費者の筆跡による表意文字４２が底部凹部１４の表面に忠実に再現された表意文字入り焼き物４１を、効果的に製造することができる。
【００５０】
次いで、製造者側において、製造された表意文字入り焼き物４１を包装する（工程１０９）。なお、この工程１０９においては、上記した包装記入欄２７へ記載された包装形態に基づいて、表意文字入り焼き物４１の包装が行われる。包装形態の種類の例としては、例えば、包装紙の色やデザイン、リボン等の装飾品、透明シートを用いて可視状にラッピングする等、様々な包装形態が考えられる。したがって、消費者は、プレゼントとして贈呈する場合の状況等に応じて、最適な包装形態を任意に選択可能である。以下に、工程１０９の一実施形態について説明する。
【００５１】
本実施形態に係る工程１０９は、中抜きの枠部材と、当該枠部材に貼り付けられた可撓性の透明シートとを有する包装部材を準備する工程（図１１の工程１０９Ａ）と、二つの包装部材によって、表意文字入り焼き物４１を両側から挟み込む工程（工程１０９Ｂ）と、一方の枠部材と、他方の前枠部材とを互いに連結する工程とを有する。
【００５２】
より具体的には、まず、工程１０９Ａにおいて、図１２に示すように、中抜きされた四角形状の枠部材３３と、枠部材３３の中抜き領域を覆うように枠部材３３に張り付けられた透明シート３４とからなる包装部材３５を準備する。そして、工程１０９Ｂにおいて、図１３に示すように、二つの包装部材３５によって、表意文字入り焼き物４１を両側から挟み込み、工程１０９Ｃにおいて、一方の枠部材３３と他方の枠部材３３とを互いに連結する。その結果、図１４に示すように、表意文字入り焼き物４１が、包装部材３５によって支持されて包装されることとなる。この構成によれば、包装された表意文字入り製品１１が、上記透明シート３４によって挟み込まれて支持されることとなるため、表意文字入り焼き物４１を、消費者から見て可視状に包装することができる。これにより、プレゼントとしての付加価値をさらに高めることができる。
【００５３】
最後に、工程１０９によって包装された表意文字入り焼き物４１を、製造者から消費者へと渡す（工程１１０）。こうして、消費者は、自己の発意に係る表意文字４２が描き込まれた表意文字入り焼き物４１を、実質的な焼き物の製造工程に携わることなく、簡単に入手することができる。
【００５４】
上記したように、本実施形態に係る焼き物の製造方法によれば、表意文字入り焼き物４１の製造工程が、消費者側と製造者側とによって分担され、且つ、消費者が担う工程は、注文シート２１に表意文字を書き込む工程１０４のみとなっている。そして、熟練した製造技術を有する製造者側において、消費者の手によって描かれた表意文字を、焼き物本体１１に転写する工程１０６，１０７が行われる構成となっている。すなわち、この構成によれば、消費者は、表意文字を注文シート２１に記載するという極めて簡単な作業を行うことによって、自らの筆跡による表意文字が忠実に転写された表意文字入り焼き物４１を入手することが可能となる。
【００５５】
また、本実施形態によれば、工程１０６Ａにおいて、転写紙を介して、表意文字の輪郭線をなぞることによって焼き物本体１１に転写する構成となっている。このように転写紙を用いることによって、表意文字の輪郭線を比較的に容易な作業によって、製品本体の表面に忠実に転写することができる。そして、その後の工程１０６Ｂにおいて、このように転写された輪郭線に基づいて、着色材料を用いて表意文字を焼き物本体１１に忠実に再現することができる。
【００５６】
また、本実施形態によれば、焼き物本体１１に設けられた底部凹部１４と、注文シート２１に記された表意文字記入枠２６とが、ともに略同じ外形寸法を有するように構成されている。したがって、消費者により表意文字が書き込まれた表意文字記入枠２６を、焼き物本体１１の底部凹部１４に嵌め入れた場合、表意文字記入枠が、底部凹部１４内に隙間なく適宜に嵌合することとなる。これにより、製造者側において、表意文字記入枠２６に記された表意文字を、転写紙を介して底部凹部１４の表面に、より効果的に転写することができる。
【００５７】
また、本実施形態によれば、工程１０１において、３種類の型の焼き物本体１１が準備される。そして、消費者は、注文シート２１の焼き物型記入欄２３を介して、３種類の型の焼き物本体１１の中から、好みの型を任意に選択することができ、且つ、いずれの型を選択した場合においても、消費者によって描かれた表意文字を、底部凹部１４の表面に効果的に転写することができる。すなわち、消費者は、好みの焼き物の型を焼き物型記入欄２３に記載する簡単な作業を通して、自らの筆跡による表意文字が忠実に転写された、好みの型の表意文字入り焼き物４１を入手することができる。
【００５８】
同様に、本実施形態によれば、消費者は、注文シート２１の下地装飾記入欄２４を介して、３種類の下地装飾の中から、好みの下地装飾を任意に選択することができる。すなわち、消費者は、好みの下地装飾を下地装飾記入欄２４に記載する簡単な作業を通して、自らの筆跡による表意文字が忠実に転写された、好みの下地装飾を有する表意文字入り焼き物４１を入手することができる。
【００５９】
同様に、本実施形態によれば、消費者は、注文シート２１の釉薬記入欄２５を介して、３種類の釉薬の中から、好みの釉薬を任意に選択することができる。すなわち、消費者は、好みの釉薬を釉薬記入欄２５に記載する簡単な作業を通して、自らの筆跡による表意文字が忠実に転写された、好みの釉薬が塗布された表意文字入り焼き物４１を入手することができる。
【００６０】
また、本実施形態によれば、消費者は、注文シート２１の包装記入欄２７を介して、５種類の包装の中から、好みの包装を任意に選択することができる。すなわち、消費者は、好みの包装を包装記入欄２７に記載する簡単な作業を通して、自らの筆跡による表意文字が忠実に転写された表意文字入り焼き物４１を、好みの包装に包むことができる。これにより、消費者本人用としても、プレゼント用としても、製品の付加価値をさらに高めることができる。
【００６１】
なお、上記実施形態においては、上記３種類の焼き物の型、下地装飾、および釉薬と、５種類の包装形態とが、それぞれ準備される場合について述べた。しかしながら、本発明は、これに限定されるものではなく、如何なる種類の焼き物の型、下地装飾、釉薬、および包装形態が採用されてもよく、また、種類の数も、如何なる数の種類のものが準備されてもよい。
【００６２】
また、上記実施形態においては、焼き物本体の底部に形成される底部凹部が、円形状であった場合について述べたが、これに限らず、三角形や四角形等の多角形や、楕円、その他如何なる任意の形状に形成されてもよい。この場合、表意文字記入枠は、底部凹部の形状に適合するように構成される。
【００６３】
また、上記実施形態においては、表意文字として、消費者の筆跡による文字（メッセージ）を一例として説明したが、本発明に係る「表意文字」とは、文字に限らず、自己の創作に係る図柄、印、またはこれらの組み合わせ等、消費者の発意に係るものであれば如何なる形態のものをも包含している点に留意されたい。
【００６４】
また、上記実施形態においては、焼き物本体の底部凹部と、注文シートの表意文字記入枠とが、略同じ外形寸法を有するように構成された場合について述べたが、これに限らず、例えば表意文字記入枠を、底部凹部よりも小さく／大きくなるように注文シートに記載し、表意文字が記された後に、底部凹部に適合するように表意文字記入枠を拡大／縮小させる構成であってもよい。このような手法であっても、消費者の筆跡による表意文字を焼き物に再現することができるからである。
【００６５】
次に、図１５〜図１９を参照して、本発明の他の実施形態に係る表意文字入りガラス製品の製造方法について説明する。なお、上記した実施形態と同様の構成には、同じ符号を付し、詳細な説明を省略する。
【００６６】
本実施形態は、表意文字入りガラス製品の製造方法に関するものであって、製造者側と消費者側とが適宜作業を分担することによって、消費者による作業を最小限に抑えるとともに、消費者によって描かれた表意文字をガラス製品に忠実に再現することを可能とするものである。
【００６７】
本実施形態に係るガラス製品の製造方法は、上記実施形態と同様に、製造者側において、ガラス製品本体５１を準備する工程１０１と、製造者側において、所定の外形寸法を有する表意文字記入枠２６が記された注文シート２１を準備する工程１０２と、製造者側から消費者側へ注文シート２１を提供する工程１０３と、消費者側において、表意文字記入枠２６内に表意文字を書き込む工程１０４と、消費者側から製造者側へ注文シート２１を渡す工程１０５とを備える。
【００６８】
本実施形態においては、上記実施形態と同様に、工程１０１において、例えば３種類の型のガラス製品が準備される。ガラス製品の種類としては、例えばロックグラスや、オールドカップ、またはフリーカップ等のグラス類が適用可能である。したがって、注文シート２１の焼き物型記入欄２３や、下地装飾記入欄２４、および釉薬記入欄２５は、ガラス製品に特化した項目へと適宜変更される。なお、これらについての詳しい説明は省略する。
【００６９】
以下、ガラス製品の種類として、図１７に示すロックグラスが選択され、ロックグラスの底面に表意文字を描く場合について、説明する。
【００７０】
工程１０５の後に、製造者側において、ガラス製品本体５１側に表意文字の輪郭線を転写する（工程２０６）。ここで、本実施形態に係る工程２０６は、ガラス製品本体５１に保護シート５３を貼り付ける工程（図１６の工程２０６Ａ）と、表意文字記入枠２６を、転写紙５３を間に挟み込みつつ保護シート５３上に設置する工程（図１６の工程２０６Ｂ）と、表意文字の輪郭線をなぞり、当該表意文字の輪郭線に対応するように保護シート５３の表面に転写紙の着色成分を転写する工程（図１６の工程２０６Ｃ）と、保護シート５３に転写された輪郭線に沿って保護シート５３を切断し、当該輪郭線によって囲まれた領域を切り取る工程（図１６の工程２０６Ｄ）とを有する。
【００７１】
工程２０６について、図１８を参照して具体的に説明する。まず、工程２０６Ａにおいて、可撓性のシート部材である保護シート５３を、ガラス製品本体５１の底面５２側から貼着する。そして、工程２０６Ｂにおいて、転写紙５４を、保護シート５３を間に挟んで底面５２側に設置する。そして、表意文字記入枠２６を、転写紙５４および保護シート５３を間に挟み、ガラス製品５１の底面５２の位置と略一致するように設置する。そして、工程２０６Ｃにおいて、図９に示す輪郭線３１をなぞり、この輪郭線３１に相当する線を保護シート５１上に転写する。そして、工程２０６Ｄにおいて、例えばカッターのような用具を用いて、保護シート５１上に転写された輪郭線３１に沿って保護シート５３を切断し、当該輪郭線３１によって囲まれた輪郭線領域３２を保護シート５１から切り取る。このようにして、表意文字記入枠２６に描かれた表意文字が、ガラス製品本体５１に貼着された保護シート５３に、切り取り領域として忠実に転写されることとなる。
【００７２】
次いで、製造者側において、輪郭線３１に囲まれた領域３２に、他の領域と区別し得る識別痕を形成する（工程２０７）。本実施形態においては、表意文字に相当する識別痕を形成するために、ガラス製品本体５１における保護シート５３の切り取り領域に相当する領域に対して傷加工を施す。この傷加工としては、例えばサンドブラスト加工を適用可能である。サンドブラスト加工等によってガラス製品本体５１の底面５２に対して傷加工を施すと、ガラス製品本体５１における切り取り領域に対して、微細な傷が無数に設けられることとなる。しかしながら、それ以外の領域は、保護シート５３によって傷加工から保護されるために、傷が設けられることがない。これにより、ガラス製品本体５１の底面５２に、識別可能な表意文字を、忠実に再現することができる。図１９に、完成した表意文字入りガラス製品６１を示す。本実施形態においては、ガラス製品６１の底面５２に、いわゆるスモークガラス状の表意文字６２が描き込まれることとなる。
【００７３】
次いで、製造者側において、製造された表意文字入りガラス製品６１を包装し（工程１０９）、包装された表意文字入りガラス製品６１を、製造者から消費者へと渡す（工程１１０）。こうして、消費者は、自己の発意に係る表意文字６２が描き込まれた表意文字入りガラス製品６１を、実質的な製造工程に携わることなく、簡単に入手することができる。
【００７４】
このように、本実施形態によれば、表意文字入りガラス製品６１の製造工程が、消費者側と製造者側とによって分担され、且つ、消費者が担う工程は、注文シート２１に表意文字を書き込む工程１０４のみとなっている。そして、熟練した製造技術を有する製造者側において、消費者の手によって描かれた表意文字を、ガラス製品本体５１に転写する工程２０６，２０７が行われる構成となっている。すなわち、この構成によれば、消費者は、表意文字を注文シート２１に記載するという極めて簡単な作業を行うことによって、自らの筆跡による表意文字が忠実に転写された表意文字入りガラス製品６１を入手することが可能となる。
【００７５】
以上、図面を参照して本発明の実施の形態を説明したが、本発明は、図示した実施の形態のものに限定されない。図示した実施の形態に対して、本発明と同一の範囲内において、あるいは均等の範囲内において、種々の修正や変形を加えることが可能である。
【産業上の利用可能性】
【００７６】
本発明は、消費者側にて任意に描かれた表意文字を、製造者側にて製品に忠実に転写することができる表意文字入り製品の製造方法を提供するものであって、焼き物やガラス製品等の製造分野に有利に利用される。
【符号の説明】
【００７７】
１１  焼き物本体、１２  底部、１３  側壁部、１４  底部凹部、２１  注文シート、２２  消費者情報記入欄、２３  焼き物型記入欄、２４  下地装飾記入欄、２５  釉薬記入欄、２６  表意文字記入枠、２７  包装記入欄、３１  輪郭線、３２  輪郭線領域、３３  枠部材、３４  透明シート、３５  包装部材、４１  表意文字入り焼き物、４２，６２  表意文字、５１  ガラス製品本体、５２  底面、６１  表意文字入りガラス製品。
【図１】
0005731317.tif 000002
【図２】
0005731317.tif 000003
【図３】
0005731317.tif 000004
【図４】
0005731317.tif 000005
【図８】
0005731317.tif 000006
【図１０】
0005731317.tif 000007
【図１１】
0005731317.tif 000008
【図１２】
0005731317.tif 000009
【図１３】
0005731317.tif 000010
【図１４】
0005731317.tif 000011
【図１５】
0005731317.tif 000012
【図１６】
0005731317.tif 000013
【図１７】
0005731317.tif 000014
【図１８】
0005731317.tif 000015
【図１９】
0005731317.tif 000016
【図５】
0005731317.tif 000017
【図６】
0005731317.tif 000018
【図７】
0005731317.tif 000019
【図９】
0005731317.tif 000020